【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
撮像素子で撮像された撮像画像より所定の被写体を検出する被写体検出手段と、
前記撮像素子で撮像された２枚の撮像画像より撮像画面内を移動する前記所定の被写体の移動量を取得する移動量取得手段と、
前記撮像素子に光束を導く撮像光学系を構成する光学素子を前記撮像光学系の光軸と異なる方向に移動させることで、前記撮像画面内における前記所定の被写体の移動量を抑制する被写体追尾手段と、
前記撮像素子で撮像された２枚の撮像画像を比較して像ブレ量を示す動きベクトルを検出する動きベクトル検出手段と、
前記動きベクトルに基づいて像ブレを補正する像ブレ補正手段と、
ユーザからのマニュアル指示に従って、前記被写体追尾手段による被写体追尾を行うか否かを切り替える切替手段と、
を備える撮像装置であって、
前記被写体追尾手段は、前記撮像装置が移動しておらず前記所定の被写体が移動している場合であっても、前記撮像画面内における前記所定の被写体の移動量を抑制し、
前記像ブレ補正手段は、前記被写体追尾を行う場合の像ブレ補正の効果を、前記被写体追尾を行わない場合の前記像ブレ補正の効果よりも小さくする
ことを特徴とする撮像装置。
【請求項２】
前記像ブレ補正手段は、前記被写体追尾を行う場合の前記像ブレ補正の補正値のゲインを、前記被写体追尾を行わない場合の前記像ブレ補正の補正値のゲインよりも小さくすることを特徴とする請求項１に記載の撮像装置。
【請求項３】
前記像ブレ補正手段の像ブレ補正は、前記撮像画像の読み出し位置を制御する電子式ブレ補正制御であることを特徴とする請求項１又は２に記載の撮像装置。
【請求項４】
撮像素子で撮像された撮像画像より所定の被写体を検出する被写体検出手段と、
前記撮像素子で撮像された２枚の撮像画像より撮像画面内を移動する前記所定の被写体の移動量を取得する移動量取得手段と、
前記撮像素子に光束を導く撮像光学系を構成する光学素子を前記撮像光学系の光軸と異なる方向に移動させることで、前記撮像画面内における前記所定の被写体の移動量を抑制する被写体追尾手段と、
前記撮像素子で撮像された２枚の撮像画像を比較して像ブレ量を示す動きベクトルを検出する動きベクトル検出手段と、
前記動きベクトルに基づいて像ブレを補正する像ブレ補正手段と、
前記被写体追尾手段による被写体追尾を行うか否かを切り替える切替手段と、
前記所定の被写体のサイズが閾値以上であるか否かを判定する判定手段と、
を備え、
前記像ブレ補正手段は、前記被写体追尾を行う場合の像ブレ補正の効果を、前記被写体追尾を行わない場合の前記像ブレ補正の効果よりも小さくし、
前記像ブレ補正手段は、前記切替手段にて前記被写体追尾を行う制御が選択された場合でも、前記所定の被写体のサイズが前記閾値以上であるときは、前記像ブレ補正の効果を小さくしない
ことを特徴とする撮像装置。
【請求項５】
撮像素子で撮像された撮像画像より所定の被写体を検出する被写体検出手段と、
前記撮像素子で撮像された２枚の撮像画像より撮像画面内を移動する前記所定の被写体の移動量を取得する移動量取得手段と、
前記撮像素子に光束を導く撮像光学系を構成する光学素子を前記撮像光学系の光軸と異なる方向に移動させることで、前記撮像画面内における前記所定の被写体の移動量を抑制する被写体追尾手段と、
前記撮像素子で撮像された２枚の撮像画像を比較して像ブレ量を示す動きベクトルを検出する動きベクトル検出手段と、
前記動きベクトルに基づいて像ブレを補正する像ブレ補正手段と、
前記被写体追尾手段による被写体追尾を行うか否かを切り替える切替手段と、
前記撮像素子で撮像された撮像画像において、前記動きベクトル検出手段により前記動きベクトルを検出する範囲を設定する設定手段と、
を備え、
前記像ブレ補正手段は、前記被写体追尾を行う場合の像ブレ補正の効果を、前記被写体追尾を行わない場合の前記像ブレ補正の効果よりも小さくし、
前記設定手段は、前記被写体追尾を行う場合の前記動きベクトルを検出する範囲を、前記被写体追尾を行わない場合の前記動きベクトルを検出する範囲よりも狭く設定する
ことを特徴とする撮像装置。
【請求項６】
撮像装置が実行する撮像方法であって、
撮像素子で撮像された撮像画像より所定の被写体を検出する被写体検出工程と、
前記撮像素子で撮像された２枚の撮像画像より撮像画面内を移動する前記所定の被写体の移動量を取得する移動量取得工程と、
前記撮像素子に光束を導く撮像光学系を構成する光学素子を前記撮像光学系の光軸と異なる方向に移動させることで、前記撮像画面内における前記所定の被写体の移動量を抑制する被写体追尾工程と、
前記撮像素子で撮像された２枚の撮像画像を比較して像ブレ量を示す動きベクトルを検出する動きベクトル検出工程と、
前記動きベクトルに基づいて像ブレを補正する像ブレ補正工程と、
ユーザからのマニュアル指示に従って、前記被写体追尾工程による被写体追尾を行うか否かを切り替える切替工程と、
を備え、
前記被写体追尾工程では、前記撮像装置が移動しておらず前記所定の被写体が移動している場合であっても、前記撮像画面内における前記所定の被写体の移動量を抑制し、
前記像ブレ補正工程では、前記被写体追尾を行う場合の像ブレ補正の効果を、前記被写体追尾を行わない場合の前記像ブレ補正の効果よりも小さくする
ことを特徴とする撮像方法。
【請求項７】
撮像装置が実行する撮像方法であって、
撮像素子で撮像された撮像画像より所定の被写体を検出する被写体検出工程と、
前記撮像素子で撮像された２枚の撮像画像より撮像画面内を移動する前記所定の被写体の移動量を取得する移動量取得工程と、
前記撮像素子に光束を導く撮像光学系を構成する光学素子を前記撮像光学系の光軸と異なる方向に移動させることで、前記撮像画面内における前記所定の被写体の移動量を抑制する被写体追尾工程と、
前記撮像素子で撮像された２枚の撮像画像を比較して像ブレ量を示す動きベクトルを検出する動きベクトル検出工程と、
前記動きベクトルに基づいて像ブレを補正する像ブレ補正工程と、
前記被写体追尾工程による被写体追尾を行うか否かを切り替える切替工程と、
前記所定の被写体のサイズが閾値以上であるか否かを判定する判定工程と、
を備え、
前記像ブレ補正工程では、前記被写体追尾を行う場合の像ブレ補正の効果を、前記被写体追尾を行わない場合の前記像ブレ補正の効果よりも小さくし、
前記像ブレ補正工程では、前記切替工程にて前記被写体追尾を行う制御が選択された場合でも、前記所定の被写体のサイズが前記閾値以上であるときは、前記像ブレ補正の効果を小さくしない
ことを特徴とする撮像方法。
【請求項８】
撮像装置が実行する撮像方法であって、
撮像素子で撮像された撮像画像より所定の被写体を検出する被写体検出工程と、
前記撮像素子で撮像された２枚の撮像画像より撮像画面内を移動する前記所定の被写体の移動量を取得する移動量取得工程と、
前記撮像素子に光束を導く撮像光学系を構成する光学素子を前記撮像光学系の光軸と異なる方向に移動させることで、前記撮像画面内における前記所定の被写体の移動量を抑制する被写体追尾工程と、
前記撮像素子で撮像された２枚の撮像画像を比較して像ブレ量を示す動きベクトルを検出する動きベクトル検出工程と、
前記動きベクトルに基づいて像ブレを補正する像ブレ補正工程と、
前記被写体追尾工程による被写体追尾を行うか否かを切り替える切替工程と、
前記撮像素子で撮像された撮像画像において、前記動きベクトル検出工程により前記動きベクトルを検出する範囲を設定する設定工程と、
を備え、
前記像ブレ補正工程では、前記被写体追尾を行う場合の像ブレ補正の効果を、前記被写体追尾を行わない場合の前記像ブレ補正の効果よりも小さくし、
前記設定工程では、前記被写体追尾を行う場合の前記動きベクトルを検出する範囲を、前記被写体追尾を行わない場合の前記動きベクトルを検出する範囲よりも狭く設定する
ことを特徴とする撮像方法。
【手続補正２】
【補正対象書類名】明細書
【補正対象項目名】００１０
【補正方法】変更
【補正の内容】
【００１０】
上記課題を解決するために、本発明は、撮像素子で撮像された撮像画像より所定の被写体を検出する被写体検出手段と、前記撮像素子で撮像された２枚の撮像画像より撮像画面内を移動する前記所定の被写体の移動量を取得する移動量取得手段と、前記撮像素子に光束を導く撮像光学系を構成する光学素子を前記撮像光学系の光軸と異なる方向に移動させることで、前記撮像画面内における前記所定の被写体の移動量を抑制する被写体追尾手段と、前記撮像素子で撮像された２枚の撮像画像を比較して像ブレ量を示す動きベクトルを検出する動きベクトル検出手段と、前記動きベクトルに基づいて像ブレを補正する像ブレ補正手段と、ユーザからのマニュアル指示に従って、前記被写体追尾手段による被写体追尾を行うか否かを切り替える切替手段と、を備える撮像装置であって、前記被写体追尾手段は、前記撮像装置が移動しておらず前記所定の被写体が移動している場合であっても、前記撮像画面内における前記所定の被写体の移動量を抑制し、前記像ブレ補正手段は、前記被写体追尾を行う場合の像ブレ補正の効果を、前記被写体追尾を行わない場合の前記像ブレ補正の効果よりも小さくすることを特徴とする撮像装置を提供する。